(57)【要約】【課題】レンズ交換後に迅速に投射可能な投射型表示装置を提供する。【解決手段】レンズ交換可能な投射型表示装置であって、本体部と、本体部に着脱可能なレンズユニットと、レンズユニットを保護するように本体部に取り付けられるレンズカバーと、レンズカバーまたはレンズユニットの着脱を検出するレンズ交換検出部と、レンズ交換検出部からの信号に基づいてレンズカバーまたはレンズユニットの着脱状態を判定する制御部と、を有し、制御部は、投射型表示装置の電源がオンの状態で信号に基づいてレンズカバーまたはレンズユニットが取り外されたと判定した場合、投射モードからレンズ交換モードへ移行させる。【選択図】図１
2014137513.tif 000002
【特許請求の範囲】
【請求項１】
レンズ交換可能な投射型表示装置であって、
本体部と、
前記本体部に着脱可能なレンズユニットと、
前記レンズユニットを保護するように前記本体部に取り付けられるレンズカバーと、
前記レンズカバーまたは前記レンズユニットの着脱を検出するレンズ交換検出部と、
前記レンズ交換検出部からの信号に基づいて前記レンズカバーまたは前記レンズユニットの着脱状態を判定する制御部と、を有し、
前記制御部は、前記投射型表示装置の電源がオンの状態で前記信号に基づいて前記レンズカバーまたは前記レンズユニットが取り外されたと判定した場合、投射モードからレンズ交換モードへ移行させることを特徴とする投射型表示装置。
【請求項２】
前記制御部は、前記レンズ交換モードとして、前記投射型表示装置の電源をオンにした状態で、少なくとも光源の電源をオフにするように制御することを特徴とする請求項１に記載の投射型表示装置。
【請求項３】
映像信号に対して信号処理を行う映像処理部を更に有し、
前記制御部は、前記レンズ交換モードとして、前記投射型表示装置の電源をオンにした状態で、全画面黒の映像信号を出力するように前記映像処理部を制御することを特徴とする請求項１に記載の投射型表示装置。
【請求項４】
光源から出た光を分光して複数の表示素子に導く光学系を更に有し、
前記光学系は、シャッタ、および、該シャッタを駆動するシャッタ駆動部を備え、
前記制御部は、前記レンズ交換モードとして、前記投射型表示装置の電源をオンにした状態で、前記シャッタを閉じるように前記シャッタ駆動部を制御することを特徴とする請求項１に記載の投射型表示装置。
【請求項５】
前記制御部は、前記レンズ交換モードにおいて前記レンズ交換検出部が前記レンズカバーまたは前記レンズユニットが取り付けられたことを検出した場合、該レンズ交換モードから前記投射モードに移行させることを特徴とする請求項１乃至４のいずれか１項に記載の投射型表示装置。 
【請求項６】
前記レンズ交換検出部は、前記レンズカバーまたは前記レンズユニットの着脱を検出するスイッチであることを特徴とする請求項１乃至５のいずれか１項に記載の投射型表示装置。
【請求項７】
表示部を更に有し、
前記制御部は、前記レンズ交換モードにおいて、現在レンズ交換モードであることをユーザに通知するように前記表示部を制御することを特徴とする請求項１乃至６のいずれか１項に記載の投射型表示装置。 
【請求項８】
前記制御部は、前記レンズ交換モードの状態で所定時間が経過した場合、該レンズ交換モードからスタンバイモードへ移行させることを特徴とする請求項１乃至７のいずれか１項に記載の投射型表示装置。 
【請求項９】
前記レンズユニットは、前記本体部と通信可能な記憶部を有し、
前記制御部は、前記投射モードから前記レンズ交換モードへ移行した場合、前記記憶部との通信を停止してから該記憶部への電源供給を停止することを特徴とする請求項１乃至８のいずれか１項に記載の投射型表示装置。
【請求項１０】
前記レンズユニットは、レンズを駆動する駆動部を更に有し、
前記制御部は、前記投射モードから前記レンズ交換モードへ移行した場合、前記駆動部への電源供給を停止することを特徴とする請求項９に記載の投射型表示装置。
【発明の詳細な説明】
【技術分野】
【０００１】
本発明は、レンズ交換可能な投射型表示装置に関する。
【背景技術】
【０００２】
従来から、投射レンズ（レンズ）を介して画像をスクリーンに表示する投射型表示装置が、大画面の表示装置として利用されている。投射型表示装置には、最適な投射距離があるが、投射型表示装置の設置場所などの環境により、必ずしも最適な投射距離を確保できない場合がある。そこで、投射距離に合わせて画像を投射するため、レンズ交換可能な投射型表示装置が知られている。このような投射型表示装置を使用すると、ユーザは投射距離に合わせて、適切な焦点距離のレンズを選択することができる。特許文献１、２には、レンズ交換可能な投射型表示装置が開示されている。
【先行技術文献】
【特許文献】
【０００３】
【特許文献１】特開２００３−１０７５８３号公報
【特許文献２】特開２００４−３０２３５０号公報
【発明の概要】
【発明が解決しようとする課題】
【０００４】
しかしながら、従来のレンズ交換可能な投射型表示装置は、レンズの交換時、安全性の面から電源をオフにする必要がある。このため、投射型表示装置をオンにした後にレンズ交換が必要になった場合、電源をオフしてからレンズ交換の完了後に電源を再度オンにする必要があり、電源のオン／オフに時間がかかる。 
【０００５】
そこで本発明は、レンズ交換後に迅速に投射可能な投射型表示装置を提供する。
【課題を解決するための手段】
【０００６】
本発明の一側面としての投射型表示装置は、レンズ交換可能な投射型表示装置であって、本体部と、前記本体部に着脱可能なレンズユニットと、前記レンズユニットを保護するように前記本体部に取り付けられるレンズカバーと、前記レンズカバーまたは前記レンズユニットの着脱を検出するレンズ交換検出部と、前記レンズ交換検出部からの信号に基づいて前記レンズカバーまたは前記レンズユニットの着脱状態を判定する制御部とを有し、前記制御部は、前記投射型表示装置の電源がオンの状態で前記信号に基づいて前記レンズカバーまたは前記レンズユニットが取り外されたと判定した場合、投射モードからレンズ交換モードへ移行させる。
【０００７】
本発明の他の目的及び特徴は、以下の実施例において説明される。
【発明の効果】
【０００８】
本発明によれば、レンズ交換後に迅速に投射可能な投射型表示装置を提供することができる。
【図面の簡単な説明】
【０００９】
【図１】実施例１における投射型表示装置の外観図である。
【図２】実施例１における投射型表示装置のブロック図である。
【図３】実施例１における投射型表示装置のレンズ交換時の動作を示すフローチャートである。
【図４】実施例２における投射型表示装置のブロック図である。
【図５】実施例２における投射型表示装置のレンズ交換時の動作を示すフローチャートである。
【発明を実施するための形態】
【００１０】
以下、本発明の実施例について、図面を参照しながら詳細に説明する。各図において、同一の部材については同一の参照番号を付し、重複する説明は省略する。
【実施例１】
【００１１】
まず、図１を参照して、本発明の実施例１における投射型表示装置の外観について説明する。図１は、本実施例における投射型表示装置１の外観図である。図１において、１００は、投射型表示装置１の本体部である。２００は、用途に合わせて交換可能なレンズユニット（レンズ）であり、本体部１００に着脱可能に構成されている。３００は、レンズカバーであり、ユーザの安全やレンズユニット２００の保護のために本体部１００に取り付けられる。このように本実施例の投射型表示装置１は、レンズ交換可能な投射型表示装置であり、レンズカバー３００を外してレンズユニット２００を交換可能に構成されている。
【００１２】
続いて、図２を参照して、本実施例における投射型表示装置１の構成について説明する。図２は、投射型表示装置１のブロック図である。図２において、映像信号入力部１０１は、映像信号入力用インターフェースコネクタを含み、パソコンなどの外部装置から映像信号を入力する。映像信号入力部１０１に入力された映像信号は、映像処理部１０２に出力される。
【００１３】
映像処理部１０２は、解像度変換、台形補正、および、明るさ、コントラスト、色などの画質補正など各種の信号処理を行う。また映像処理部１０２は、全画面黒の映像信号を出力することも可能であり、後述のＭＰＵ１０７から、全画面黒指令を受けた場合、入力される映像信号の内容にかかわらず、全画面黒の映像信号を出力する。映像処理部１０２から出力された映像信号は、パネル駆動部１０３に入力される。
【００１４】
パネル駆動部１０３は、入力された映像信号に基づいて液晶パネル１０４ａ、１０４ｂ、１０４ｃ（複数の表示素子）を駆動する。なお液晶パネル１０４ａ〜１０４ｃは、透過型液晶パネルでも反射型液晶パネルでもよい。また、液晶パネルに代えて、他の表示素子を用いることもできる。
【００１５】
光源駆動部１０５は、光源１０６への供給電力を一定に保つなどの光源駆動を行う。また光源駆動部１０５は、後述のＭＰＵ１０７からの指令に基づいて、光源１０６の点灯／消灯を制御する。光源１０６は、水銀ランプ、発光ダイオード（ＬＥＤ）、レーザダイオード（ＬＤ）などを備えて構成される。光源１０６から出た光は、光学系１１１により、赤、緑、青に分光され、液晶パネル１０４ａ〜１０４ｃにそれぞれ導かれる。液晶パネル１０４ａ〜１０４ｃに導かれた光は、液晶パネル１０４ａ〜１０４ｃで画像変調され、レンズユニット２００内のレンズ２０１により投射される。
【００１６】
ＭＰＵ１０７（制御部）は、映像処理部１０２、光源駆動部１０５、ＲＯＭ１０８、および、表示部１１２の制御を行う。またＭＰＵ１０７は、操作部１０９に入力されたユーザ操作を読み取り、操作に応じた動作を行う。表示部１１２は、例えば発光ダイオード（ＬＥＤ）であり、ＭＰＵ１０７により表示部１１２を制御することで、ユーザに投射型表示装置１の状態を通知することができる。ＲＯＭ１０８は、各種プログラムや設定を保存する。
【００１７】
レンズ交換検出部１１０は、レンズカバー３００の着脱を検出するスイッチである。ＭＰＵ１０７は、レンズ交換検出部１１０からの信号（レンズ交換検出部１１０の検出信号）に基づいて、レンズカバー３００の着脱状態を判定することができる。なお、レンズ交換検出部１１０は、レンズカバー３００に代えて、レンズユニット２００の着脱を検出するスイッチであってもよい。
【００１８】
続いて、図３を参照して、本実施例における投射型表示装置１のレンズ交換時の動作について説明する。図３は、投射型表示装置１のレンズ交換時の動作を示すフローチャートである。図３の各ステップは、主に、投射型表示装置１のＭＰＵ１０７の指令に基づいて実行される。なお、図３のフローチャートは、投射型表示装置１を電源オンにした状態（投射モード中）において、レンズユニット２００が交換された場合について示している。
【００１９】
まず、ステップＳ１０１において、レンズ交換検出部１１０がレンズカバー３００（またはレンズユニット２００）の着脱を監視し、レンズカバー３００が取り付けられている状態の場合にはステップＳ１０１を繰り返す（ループする）。一方、レンズカバー３００が取り外された場合、レンズ交換開始と判定し、ステップＳ１０２へ移行する。
【００２０】
ステップＳ１０２において、ＭＰＵ１０７は、投射モードからレンズ交換モードへ移行する。ＭＰＵ１０７は、レンズ交換モードにおいて、光源１０６をオフにするように光源駆動部１０５を制御する。またＭＰＵ１０７は、レンズ交換モードにおいて、表示部１１２を制御してユーザに対して現在レンズ交換モードであることを通知してもよい。なおＭＰＵ１０７は、レンズ交換モードにおいて、光源１０６をオフにすることに代えて、液晶パネル１０４ａ〜１０４ｃを全画面黒の表示にするように映像処理部１０２を制御してもよい。また、光学系１１１にシャッタおよびシャッタを駆動制御するシャッタ駆動部が設けられている場合、ＭＰＵ１０７は、レンズ交換モードにおいて、このシャッタを閉めるように制御してもよく、または、これらを組み合わせて制御することもできる。
【００２１】
続いてステップＳ１０３において、レンズ交換検出部１１０がレンズカバー３００の着脱を監視し、レンズカバー３００が取り付けられた場合、ＭＰＵ１０７はレンズ交換完了と判定し、ステップＳ１０４へ移行する。一方、レンズカバー３００が取り外されたままである場合、ステップＳ１０５へ移行する。
【００２２】
ステップＳ１０４において、ＭＰＵ１０７はレンズ交換モードから投射モードへ移行させる。このとき、光源１０６をオンにし、表示部１１２を制御してユーザに対して現在ランプ交換モードでないこと（投射モードであること）を通知する。すなわちＭＰＵ１０７は、レンズ交換モードにおいてレンズ交換検出部１１０がレンズカバー３００またはレンズユニット２００が取り付けられたことを検出した場合、レンズ交換モードから投射モードに移行させる。そして本フローは終了する。なお、レンズ交換モードにおいて全画面黒の表示に設定した場合、入力された映像信号に基づいた表示に戻るように制御する。また、シャッタを閉めた場合、シャッタを開くように制御する。
【００２３】
一方、ステップＳ１０３にてレンズカバー３００が取り外されたままである場合、ステップＳ１０５において、時間をカウントする（タイムカウント）。続いてステップＳ１０６において、ＭＰＵ１０７は、カウントが所定値以内であるかを判定する。カウントが所定値以内である場合、レンズ交換中であるとしてステップＳ１０３へ戻る。一方、カウントが所定値を超えた場合、ステップＳ１０７へ移行する。ステップＳ１０７において、ＭＰＵ１０７は、レンズ交換モードからスタンバイモードに移行させる。すなわちＭＰＵ１０７は、レンズ交換モードの状態で所定時間が経過した場合、レンズ交換モードからスタンバイモードへ移行させる。そして、本フローは終了する。
【００２４】
このように、ＭＰＵ１０７は、投射型表示装置１の電源がオンの状態でレンズ交換検出部１１０からの信号に基づいてレンズカバー３００またはレンズユニット２００が取り外されたと判定した場合、投射モードからレンズ交換モードへ移行させる。レンズ交換モードは、例えば、投射型表示装置１の電源をオンにした状態で、少なくとも光源１０６の電源をオフにするように制御する。ただしレンズ交換モードは、これに限定されるものではなく、投射型表示装置１の電源をオンにした状態で、全画面黒の映像信号を出力するように映像処理部１０２を制御してもよい。また、レンズ交換モードは、投射型表示装置１の電源をオンにした状態で、光学系１１１に設けられたシャッタを閉じるようにシャッタ駆動部を制御してもよい。
【００２５】
本実施例によれば、投射型表示装置の電源をオンにした状態でレンズ交換が可能であるため、レンズ交換後に迅速に投射可能な投射型表示装置を提供することができる。
【実施例２】
【００２６】
次に、図４を参照して、本実施例における投射型表示装置１の構成について説明する。図４は、投射型表示装置１ａのブロック図である。投射型表示装置１ａは、レンズユニット２００ａの内部に、レンズ２０１に加えて、駆動部２０２およびレンズＲＯＭ２０３を有する点で、実施例１の投射型表示装置１と異なる。他の構成は投射型表示装置１と同様であるため、これらの説明は省略する。
【００２７】
レンズユニット２００ａの内部には、レンズ２０１を駆動するための駆動部２０２が設けられている。駆動部２０２は、ＭＰＵ１０７からの制御信号によりレンズ２０１を駆動し、ズームやフォーカスを調整することができる。またレンズユニット２００ａの内部には、レンズユニット２００ａの各種情報を保存するレンズＲＯＭ２０３（記憶部）が設けられている。レンズＲＯＭ２０３には、短焦点用レンズユニットや長焦点用レンズユニットなどの複数のレンズユニット２００ａがある場合、複数のレンズユニット２００ａのそれぞれの調整値や識別コードなどが保存される。レンズＲＯＭ２０３は、ＭＰＵ１０７と通信可能であり、ＭＰＵ１０７は、取り付けられたレンズユニット２００ａの調整値や識別コードを読み出すこともできる。
【００２８】
続いて、図５を参照して、本実施例における投射型表示装置１ａのレンズ交換時の動作について説明する。図５は、投射型表示装置１ａのレンズ交換時の動作を示すフローチャートである。図５の各ステップは、主に、投射型表示装置１ａのＭＰＵ１０７の指令に基づいて実行される。なお、図５のフローチャートは、投射型表示装置１ａを電源オンにした状態（投射モード中）において、レンズユニット２００ａが交換された場合について示している。
【００２９】
まず、ステップＳ２０１において、レンズ交換検出部１１０がレンズカバー３００（またはレンズユニット２００ａ）の着脱を監視し、レンズカバー３００が取り付けられている状態の場合にはステップＳ２０１を繰り返す（ループする）。一方、レンズカバー３００が取り外された場合、レンズ交換開始と判定し、ステップＳ２０２へ移行する。
【００３０】
ステップＳ２０２において、ＭＰＵ１０７は、投射モードからレンズ交換モードへ移行する。ＭＰＵ１０７は、レンズ交換モードにおいて、光源１０６をオフにするように光源駆動部１０５を制御する。またＭＰＵ１０７は、レンズ交換モードにおいて、表示部１１２を制御してユーザに対して現在ランプ交換モードであることを通知してもよい。なおＭＰＵ１０７は、レンズ交換モードにおいて、光源１０６をオフにすることに代えて、液晶パネル１０４ａ〜１０４ｃを全画面黒の表示にするように映像処理部１０２を制御してもよい。また、光学系１１１にシャッタおよびシャッタを駆動制御するシャッタ駆動部が設けられている場合、ＭＰＵ１０７は、レンズ交換モードにおいて、このシャッタを閉めるように制御してもよく、または、これらを組み合わせて制御することもできる。
【００３１】
レンズ交換モードへ移行した後、ステップＳ２０３において、レンズＲＯＭ２０３のデータを保護するため、ＭＰＵ１０７は、レンズＲＯＭ２０３との通信を停止する。なお、必要に応じてデータのバックアップを行ってもよい。続いてステップＳ２０４において、ＭＰＵ１０７は、駆動部２０２およびレンズＲＯＭ２０３（レンズユニット２００ａ）への電源供給を停止する。
【００３２】
続いてステップＳ２０５において、レンズ交換検出部１１０がレンズカバー３００の着脱を監視し、レンズカバー３００が取り付けられた場合、ＭＰＵ１０７はレンズ交換完了と判定し、ステップＳ２０６へ移行する。一方、レンズカバー３００が取り外されたままである場合、ステップＳ２１０へ移行する。
【００３３】
ステップＳ２０６において、ＭＰＵ１０７は、駆動部２０２およびレンズＲＯＭ２０３（レンズユニット２００ａ）への電源供給を再開する。続いてステップＳ２０７において、ＭＰＵ１０７は、レンズＲＯＭ２０３との通信を再開する。またステップＳ２０８において、ＭＰＵ１０７は、交換後のレンズユニット２００ａに合わせた制御を行うため、初期化を行う。
【００３４】
続いてステップＳ２０９において、ＭＰＵ１０７はレンズ交換モードから投射モードへ移行させる。このとき、光源１０６をオンにし、表示部１１２を制御してユーザに対して現在ランプ交換モードでないこと（投射モードであること）を通知する。そして本フローは終了する。なお、レンズ交換モードにおいて全画面黒の表示に設定した場合、入力された映像信号に基づいた表示に戻るように制御する。また、シャッタを閉めた場合、シャッタを開くように制御する。
【００３５】
一方、ステップＳ２０５にてレンズカバー３００が取り外されたままである場合、ステップＳ２１０において、時間をカウントする（タイムカウント）。続いてステップＳ２１１において、ＭＰＵ１０７は、カウントが所定値以内であるかを判定する。カウントが所定値以内である場合、レンズ交換中であるとしてステップＳ２０５へ戻る。一方、カウントが所定値を超えた場合、ステップＳ２１２へ移行する。ステップＳ２１２において、ＭＰＵ１０７は、レンズ交換モードからスタンバイモードに移行させ、本フローは終了する。
【００３６】
このように、本実施例のレンズユニット２００ａは、本体部１００と通信可能なレンズＲＯＭ２０３（記憶部）を有する。そしてＭＰＵ１０７は、投射モードからレンズ交換モードへ移行した場合、レンズＲＯＭ２０３との通信を停止してからレンズＲＯＭ２０３への電源供給を停止する。また、レンズユニット２００ａは、レンズ２０１を駆動する駆動部２０２を有する。そしてＭＰＵ１０７は、投射モードからレンズ交換モードへ移行した場合、駆動部２０２への電源供給を停止する。
【００３７】
本実施例によれば、投射型表示装置の電源をオンにした状態でレンズ交換が可能であるため、レンズ交換後に迅速に投射可能な投射型表示装置を提供することができる。また、本実施例の構成によれば、レンズ交換時にレンズＲＯＭのデータを確実に保護することが可能である。
【００３８】
以上、本発明の好ましい実施形態について説明したが、本発明はこれらの実施形態に限定されず、その要旨の範囲内で種々の変形及び変更が可能である。
【符号の説明】
【００３９】
１  投射型表示装置
１００  本体部
１０７  ＭＰＵ
１１０  レンズ交換検出部
２００  レンズユニット
３００  レンズカバー
【図２】
2014137513.tif 000003
【図４】
2014137513.tif 000004
【図１】
2014137513.tif 000005
【図３】
2014137513.tif 000006
【図５】
2014137513.tif 000007